(57)【特許請求の範囲】
【請求項１】
エアコン用室外機（１）の排気口（５）の一部に、少なくとも一部が可撓な排気供給用導気管（８）の基部を対応させると共に、排気供給用導気管（８）の噴出部を床下（６）における通風口（７）に屋外側から対応させ、エアコン用室外機（１）において乾燥状態となった排気の一部を通風口（７）の外側から床下（６）に供給することを特徴とする床下換気装置。
【請求項２】
排気供給用導気管（８）の基部をエアコン用室外機（１）に着脱自在に取付けた請求項１に記載の床下換気装置。
【請求項３】
排気供給用導気管（８）の噴出部を通風口（７）に着脱自在に取付けた請求項１または請求項２に記載の床下換気装置。
【発明の詳細な説明】
【０００１】
【発明の属する技術分野】
本発明は、エアコン用室外機を利用した床下換気装置に関するものである。
【０００２】
【従来の技術】
従来、床下の換気については、白蟻の発生予防，防黴，木材の腐朽防止等の観点並びに住人の健康維持の観点から極めて重要であり、従って、床下が常時換気されるように種々の方策が講じられており、一般的には、基礎に開設した通風口を通して自然の風を流通させている。強制通風のため、通風口に換気専用の電動ファンを設置し、その電動ファンを適時的に運転して強制的に給排気を行うことも行われており、また、エアコンディショナー（この明細書においてはエアコンと略称する）の室外機に付設した熱交換機用電動ファンにより床下の強制換気をするようにした技術的思想は、特開平３−２１３９３０公報，実開平３−６７８２６公報，実開平７−２６６２３公報により公知である。
【０００３】
【発明が解決しようとする課題】
エアコン用室外機に付設した熱交換機用電動ファンにより床下の強制換気をするようにした前記床下換気技術においては、電動ファンの吸気側を通風口に接続し、床下の空気を専ら吸引するようにしている。しかし、多用されている家庭用エアコンの室外機における熱交換機の吸気口は、室内機のそれよりも数倍広い例えば０．３ｍ２〜０．４ｍ２程度の流通面積を必要としているのに対し、床下通風口の流通面積は通常０．０２ｍ２程度であり、室外機における熱交換機の吸気口に比較して１／１５〜１／２０と著しく狭い関係上、通風口における抵抗が極めて大きく、吸気が不充分となり熱交換効率が低下するばかりでなく、過負荷となりエアコンの故障の原因となる重大欠陥がある。
【０００４】
上記欠点に対処するためには、床下通風口の流通面積を従来の十倍〜十数倍程度に大きくすればよいが、建築物の強度並びに形状の関係で実際には著しく困難であるばかりでなく、通風口の開設位置と室外機の設置位置とを予め特定しなければならない等、設置条件の自由度が制限され、従って、実用化されていないのが現状である。
【０００５】
そこで本発明の目的は、簡単な装備により既設の建築物に適応する床下換気装置を提供することにあり、また既設のエアコンに適応する床下換気装置を提供することにあり、更に床下に乾燥空気を供給することができるようにした床下換気装置を提供することにある。
【０００６】
【課題を解決するための手段】
本発明は上記目的を達成するため、床下換気装置としては、エアコン用室外機の排気口の一部に、少なくとも一部が可撓部からなる排気供給用導気管の基部を対応させると共に、排気供給用導気管の噴出部を床下における通風口に屋外側から対応させ、エアコン用室外機において乾燥状態となった排気の一部を通風口の外側から床下に供給することを主要部とする。
【０００７】
エアコンの運転に伴いエアコン用室外機からの排気は、機内の熱交換機により、夏の冷房運転時には加温されつつ乾燥し、冬の暖房運転時には冷却乾燥され、また四季を問わず室内の除湿運転時には加温されつつ乾燥する関係上、常時乾燥空気として排出され、乾燥空気の供給により床下は除湿される。
【０００８】
【発明の実施の形態】
以下、本発明を図面に示す実施形態を参照しつつ詳細に説明する。
【０００９】
本発明の適用対象としてのエアコン用室外機１としては、例えば図１および図２のように、ほぼ直方体形ケース２内に背面寄りと側面寄りに熱交換器３を設けると共に、前面寄りに電動ファン４を設け、その電動ファン４の前面には保護網５ａ付き排気口５を設け、熱交換器３において熱交換した後の空気を排気口５から大気中に排出するようにした型式を採択する。
【００１０】
上記型式のエアコン用室外機１に対する本発明の特殊構成としては、エアコン用室外機１における排気口５の一部と床下６の通風口７とにわたり少なくとも一部が可撓な排気供給用導気管８を配設し、排気の一部を通風口７の外側から床下６に供給するようにする。
【００１１】
排気供給用導気管８の設置については、図１および図２のように、１個または複数個の管継手９を突設したロート状の継手体１０をコンクリートブロック等の支持台１１に固定したまま、継手体１０の流入口を排気口５の外側下端寄り部分に対応する位置に配置すると共に、管継手９にはその必要な任意のものに排気供給用導気管８の基部を接続し、一方通風口７の外側付近には、コンクリートブロック等の支持台１２を配置し、この支持台１２に排気供給用導気管８の噴出部付近を固定したまま、排気供給用導気管８の噴出口を通風口７の外側中央付近に対応するように配置する。上記管継手９は、短筒状あるいはエルボ状に形成するのがよく、また継手体１０内部には、各管継手９に均等に排気が流入するように、分岐壁１３を付設するのが望ましい。
【００１２】
継手体１０を支持台１１に固定する構造としては、支持台１１に蟻溝１４を設けると共に、継手体１０には取付孔付きのＬ字状取付座１５を設け、取付座１５部分を蟻溝１４に当接したまま、ねじ頭部を蟻溝１４に係合した状態のもとにねじ１６およびナット１７により緊締し、また排気供給用導気管８の噴出部付近を支持台１２に固定する構造としては、支持台１２に蟻溝１４を設けると共に、両端に取付孔があるΩ字状の取付バンド１８を用意し、排気供給用導気管８の噴出部付近を取付バンド１８により抱持させたまま、取付孔を蟻溝１４に当接し、ねじ頭部を蟻溝１４に係合した状態のもとにねじ１６およびナット１７により緊締する。
【００１３】
支持台１１に継手体１０を固定する構造および支持台１２に排気供給用導気管８の噴出部付近を固定する構造については、磁石，粘着テープ，接着剤，クリップ，針金等を使用して固定してもよいのである。
【００１４】
図３および図４の実施形態は、継手体１０を室外機１の前壁部に固定すると共に、排気供給用導気管８を通風口７に直接的に接続する構造であって、継手体１０に取付孔付き取付座１５を設け、ねじ１９により室外機１の前壁部に緊締し、また、排気供給用導気管８の噴出部付近を通風口７に接続するには、弾性クリップ付き取付バンド１８により排気供給用導気管８の噴出部付近を抱持させたまま、通風口７における格子枠２０の一部をクリップにより挟持するようにする。
【００１５】
継手体１０を室外機１の前壁部に固定する構造としては、ねじによる緊締に限ることなく、磁石，粘着テープ，接着剤，マジックテープ（登録商標），クリップ，針金等を使用して固定してもよいのであり、また、排気供給用導気管８の噴出部付近を通風口７に接続する構造としては、クリップ付の取付バンド１８によることなく、排気供給用導気管８の噴出部付近に針金を巻付けた状態のもとにこの針金を通風口７の格子枠２０に括り付けるようにしてもよい。
【００１６】
前記実施形態は、室外機１に別個の継手体１０を取付けるようにした構造であるが、これとは異なり、排気口５の下端寄り部分に管継手９を室外機１に同体的に設けてもよく、即ち、図６のように排気口５の保護網５ａに一体成形し、あるいは図７のように室外機１の前壁に一体に成形または溶接してもよいのである。
【００１７】
エルボ状の管継手９は、図５のように、継手体１０あるいは室外機１あるいはその保護網５ａに旋回自在に嵌着することにより、接続する排気供給用導気管８を矢符のように旋回させて排気の誘導方向を容易に変更することができるようにするのがよい。
【００１８】
複数個の管継手９の全数に排気供給用導気管８を接続することなく、一部にだけ排気供給用導気管８を接続する場合には、接続しない管継手９はそのまま開放状態でよい。また排気供給用導気管８の噴出口の断面積は、通風口７よりも小さくすると共に、通風口７の中央付近に当接し、これにより排気供給用導気管８から噴出する空気によりその周囲の空気も引き込み増量して供給するエゼクタを構成するのが望ましい。なおエアコンの不使用時においても、自然通風にはほとんど支障はない。
【００１９】
前記排気供給用導気管８としては、関節式ホースを含む所謂ホースおよび波形管並びに部分的球面の接合表面をもつ等の自在継手を介設したものが含まれる。
【００２０】
【発明の効果】
以上説明したように、本発明によれば、次のような諸効果が得られる。
【００２１】
室外機１から大気中に放出される排気の一部を排気供給用導気管８によりその方向を変更して通風口７から床下６に供給するだけの簡単な構成により、格別な床下換気用電動ファンを使用することなく、エアコンの使用に伴い床下６内の強制通風を行い、省エネルギーを実現する。
【００２２】
室外機１の排気は、夏の冷房運転，冬の暖房運転，除湿運転のいずれにおいても、機内の熱交換機を通過する過程により乾燥する等、常時乾燥空気として排出される関係上、床下６に対する室外機１の排気の供給は、通風だけによる乾燥に比較して除湿効果が顕著である。
【００２３】
エアコン用室外機１の排気口５の一部と床下６の通風口７とにわたり、少なくとも一部が可撓な排気供給用導気管８をその基部が排気口５に符合すると共に噴出部が通風口７の外側に符合するように着脱自在に設けたから、これにより著しく簡単な構造のもとに、既設の家屋並びにエアコン用室外機１に容易に適応させることができる。
【図面の簡単な説明】
【図１】本発明の床下換気装置の正面図である。
【図２】図１の装置の部分的縦断側面図である。
【図３】別の実施形態の床下換気装置の要部の正面図である。
【図４】図３の実施形態の床下換気装置の通風口付近の横断平面図である。
【図５】別の実施形態の装置を示す要部の横断平面図である。
【図６】別の実施形態の装置を示す要部の正面図である。
【図７】更に別の実施形態の要部を示す一部破断正面図である。
【符号の説明】
１  室外機
５  排気口
６  床下
７  通風口
８  排気供給用導気管
９  管継手
【図１】
0003926978.tif 000002
【図２】
0003926978.tif 000003
【図３】
0003926978.tif 000004
【図４】
0003926978.tif 000005
【図５】
0003926978.tif 000006
【図６】
0003926978.tif 000007
【図７】
0003926978.tif 000008